(57)【要約】【課題】形状の異なる複数のカードの装着が可能であると共に、装着されたカードのそれぞれを容易に装置から取り出すことができる。【解決手段】幅広肉厚の第１カード１を排出させる第１排出機構と、第１カード１に比べて幅狭肉薄の第２カード２を排出させる第２排出機構を有し、第１排出機構が、第１スライド部材４と、この第１スライド部材４を付勢する第１付勢部材８と、第１スライド部材４を所定の第１装着位置に保持する第１ロック機構とを含み、第２排出機構が、第２スライド部材５と、この第２スライド部材５を付勢する第２付勢部材１２と、第２スライド部材５を所定の第２装着位置に保持する第２ロック機構とを含み、第２排出機構を、第１排出機構の第１スライド部材４に設けた。【選択図】図５
2005135627.tif 000002
【特許請求の範囲】
【請求項１】
第１カードを排出させる第１排出機構と、上記第１カードと形状が異なる第２カードを排出させる第２排出機構を有し、
上記第１排出機構が、上記第１カードを挿入口方向へ押し出す第１スライド部材と、この第１スライド部材を上記挿入口方向へ付勢する第１付勢部材と、上記第１スライド部材を、上記第１付勢部材の付勢力に抗して、上記第１カードが所定の第１装着位置に保持された状態でロックする第１ロック機構とを含み、
上記第２排出機構が、上記第２カードを挿入口方向へ押し出す第２スライド部材と、この第２スライド部材を上記挿入口方向へ付勢する第２付勢部材と、上記第２スライド部材を、上記第２付勢部材の付勢力に抗して、上記第２カードが所定の第２装着位置に保持された状態でロックする第２ロック機構とを含み、
上記第２排出機構を、上記第１排出機構の上記第１スライド部材に設けたことを特徴とするカード用コネクタ装置。
【請求項２】
上記請求項１記載の発明において、
上記第１カードが幅広肉厚のカードから成り、上記第２カードが上記第１カードに比べて幅狭肉薄のカードから成ることを特徴とするカード用コネクタ装置。
【請求項３】
上記請求項１または２記載の発明において、
上記第１ロック機構が、第１ハートカム溝と、この第１ハートカム溝上を摺動する第１ロック部材とを含み、
上記第２ロック機構が、第２ハートカム溝と、この第２ハートカム溝上を摺動する第２ロック部材とを含み、
上記第２ハートカム溝を、上記第１排出機構の上記第１スライド部材に設けたことを特徴とするカード用コネクタ装置。
【請求項４】
上記請求項３記載の発明において、
上記第１排出機構の上記第１スライド部材を初期位置に保持する保持機構を備え、
この保持機構は、上記第１カードの挿入に伴って上記第１スライド部材の保持を解除し、上記第２カードの挿入に際しては上記第１スライド部材の上記初期位置における保持を継続することを特徴とするカード用コネクタ装置。
【請求項５】
上記請求項４記載の発明において、
上記保持機構による上記第１スライド部材の保持を解除する保持解除手段を備えたことを特徴とするカード用コネクタ装置。
【請求項６】
上記請求項５記載の発明において、
上記保持機構が、上記第１ロック機構の上記第１ハートカム溝に形成したロック穴と、上記第１ロック機構の上記第１ロック部材に備えられ、上記ロック穴に係止されるピン部とを含むことを特徴とするカード用コネクタ装置。
【請求項７】
上記請求項６記載の発明において、
上記保持解除手段が、挿入口に配置され上記第２カードを案内すると共に上記第１カードの挿入に伴って移動する案内部材に形成され、上記第１カードの移動に伴う上記案内部材の移動により、上記ピン部を上記ロック穴から離脱させるように上記第１ロック部材を変位させるテーパ部から成ることを特徴とするカード用コネクタ装置。
【請求項８】
上記請求項４または５記載の発明において、
上記第１ロック機構の上記第１ハートカム溝を、上記第１カードが収容される本体を形成するハウジングの底面に設けたことを特徴とするカード用コネクタ装置。
【発明の詳細な説明】
【技術分野】
【０００１】
本発明は、形状の異なる複数のカードの装着が可能なカード用コネクタ装置に関する。
【背景技術】
【０００２】
この種の従来技術として、例えば特許文献１に記載の技術がある。この特許文献１には、スマートメディアカード、メモリスティックカード等の複数のカードの装着が可能なカード用コネクタ装置が示されている。この従来技術にあってはカードの排出に際し、手でカードを把持して引き出す操作が必要となる。
【特許文献１】登録実用新案第３０７９２６３号公報
【発明の開示】
【発明が解決しようとする課題】
【０００３】
上述した従来技術は、装置からのカードの取り出しを手作業で行なうことから、カードが小型になると装置からカードを取り出しにくくなる問題がある。なお、従来技術において、カードを排出させる排出機構を備えることが考えられるが、カードが小型になると排出機構も小型なものを考慮しなければならない。
【０００４】
本発明は、上述した従来技術における実状からなされたもので、その目的は、形状の異なる複数のカードの装着が可能であると共に、装着されたカードのそれぞれを容易に装置から取り出すことができるカード用コネクタ装置を提供することにある。
【課題を解決するための手段】
【０００５】
上記目的を達成するために、本発明は、第１カードを排出させる第１排出機構と、上記第１カードと形状が異なる第２カードを排出させる第２排出機構を有し、上記第１排出機構が、上記第１カードを挿入口方向へ押し出す第１スライド部材と、この第１スライド部材を上記挿入口方向へ付勢する第１付勢部材と、上記第１スライド部材を、上記第１付勢部材の付勢力に抗して、上記第１カードが所定の第１装着位置に保持された状態でロックする第１ロック機構とを含み、上記第２排出機構が、上記第２カードを挿入口方向へ押し出す第２スライド部材と、この第２スライド部材を上記挿入口方向へ付勢する第２付勢部材と、上記第２スライド部材を、上記第２付勢部材の付勢力に抗して、上記第２カードが所定の第２装着位置に保持された状態でロックする第２ロック機構とを含み、上記第２排出機構を、上記第１排出機構の上記第１スライド部材に設けたことを特徴としている。
【０００６】
このように構成した本発明は、第１カードの挿入時には、第１カードの装置への挿入動作に伴って、第１付勢部材の付勢力に抗して第１スライド部材が摺動し、第１カードが所定の第１装着位置に至る。ここで、第１ロック機構により第１スライド部材がロックされ、第１カードは第１装着位置に保持される。この状態において、第１カードに対する信号の送受信が可能となる。
【０００７】
第２カードの挿入時には、第２カードの装置への挿入動作に伴って、第２付勢部材の付勢力に抗して第２スライド部材が第１スライド部材上を摺動し、第２カードが所定の第２装着位置に至る。ここで、第２ロック機構により第２スライド部材がロックされ、第２カードは第２装着位置に保持される。この状態において、第２カードに対する信号の送受信が可能となる。
【０００８】
第１カードの排出時には、第１ロック機構による第１スライド部材に対するロックを解除させることにより、第１付勢部材の付勢力によって第１スライド部材が排出され、この第１スライド部材によって第１カードが押し出される。
【０００９】
また、第２カードの排出時には、第２ロック機構による第２スライド部材に対するロックを解除させることにより、第２付勢部材の付勢力によって第２スライド部材が第１スライド部材上を摺動しながら排出され、この第２スライド部材によって第２カードが押し出される。
【００１０】
このように、第１、第２カードが押し出されたときの第１、第２カードの装置からの突出寸法を、手によって把持しやすい寸法にあらかじめ設定しておくことにより、これらの第１、第２カードを装置から容易に取り出すことができる。
【００１１】
また、第２スライド部材を含む第２排出機構を、第１排出機構の第１スライド部材に設けたことから、第１スライド部材の配置領域内に第２排出機構を配置させることができる。
【００１２】
また本発明は、上記発明において、上記第１カードが幅広肉厚のカードから成り、上記第２カードが上記第１カードに比べて幅狭肉薄のカードから成ることを特徴としている。
【００１３】
また本発明は、上記発明において、上記第１ロック機構が、第１ハートカム溝と、この第１ハートカム溝上を摺動する第１ロック部材とを含み、上記第２ロック機構が、第２ハートカム溝と、この第２ハートカム溝上を摺動する第２ロック部材とを含み、上記第２ハートカム溝を、上記第１排出機構の上記第１スライド部材に設けたことを特徴としている。
【００１４】
このように構成した本発明は、第１ロック機構及び第２ロック機構を簡単な構成とすることができる。
【００１５】
また本発明は、上記発明において、上記第１排出機構の上記第１スライド部材を初期位置に保持する保持機構を備え、この保持機構は、上記第１カードの挿入に伴って上記第１スライド部材の保持を解除し、上記第２カードの挿入に際しては上記第１スライド部材の上記初期位置における保持を継続することを特徴としている。
【００１６】
このように構成した本発明は、第２カードの挿入時に、第１スライド部材が摺動不能になり、この第２カードの挿入操作を円滑に行わせることができる。
【００１７】
また本発明は、上記発明において、上記保持機構による上記第１スライド部材の保持を解除する保持解除手段を備えたことを特徴としている。
【００１８】
このように構成した本発明は、第１カードの挿入時に、保持解除手段によって保持機構による第１スライド部材の保持を解除させることにより、第１カードの挿入操作を円滑に行なわせることができる。
【００１９】
また本発明は、上記発明において、上記保持機構が、上記第１ロック機構の上記第１ハートカム溝に形成したロック穴と、上記第１ロック機構の上記第１ロック部材に備えられ、上記ロック穴に係止されるピン部とを含むことを特徴としている。
【００２０】
このように構成した本発明は、保持機構を簡単な構成とすることができる。
【００２１】
また本発明は、上記発明において、上記保持解除手段が、挿入口に配置され上記第２カードを案内すると共に上記第１カードの挿入に伴って移動する案内部材に形成され、上記第１カードの移動に伴う上記案内部材の移動により、上記ピン部を上記ロック穴から離脱させるように上記第１ロック部材を変位させるテーパ部から成ることを特徴としている。
【００２２】
このように構成した本発明は、保持解除手段を簡単な構成とすることができる。
【００２３】
また本発明は、上記発明において、上記第１ロック機構の上記第１ハートカム溝を、上記第１カードが収容される本体を形成するハウジングの底面に設けたことを特徴としている。
【００２４】
このように構成した本発明は、ハウジングの底部の厚みを第１ハートカム溝の形成領域としたことから、装置全体の厚さ寸法を小さくすることができる。
【発明の効果】
【００２５】
本発明は、形状の異なる複数のカードの装着が可能であると共に、装着されたカードのそれぞれを容易に装置から取り出すことができ、優れた装置に対するカードの着脱操作性が得られる。また、第１排出機構の第１スライド部材の配置領域内に第２排出機構を配置させることができるので、装置の小型化を実現できる。
【発明を実施するための最良の形態】
【００２６】
以下，本発明に係るカード用コネクタ装置を実施するための最良の形態を図に基づいて説明する。
【００２７】
［本実施形態で使用される第１カード］
図１は本発明の一実施形態で使用される幅広肉厚の第１カードを示す図で、(ａ)図は平面図、（ｂ）図は側面図、（ｃ）図は正面図、図２は図１の第１カードの裏面図である。
【００２８】
これらの図１，２に示す幅広肉厚の第１カード１は、上面を形成する表面１ａと、本実施形態に挿入された際に、奥側に位置する前端部１ｂと、本実施形態から突出する側を形成する後端部１ｃと、第１凹部１ｅが形成される側縁部１ｄと、下面を形成する裏面１ｆとを備えている。この裏面１ｆの前端部１ｂ付近には、図２に示すように、信号の送受信に活用される第１接触部材１ｇが備えられている。
【００２９】
この第１カード１は、図１の（ａ）図に示すように、長さがＬ１１に、幅が比較的広いＬ１２に、厚さが図１の（ｃ）図に示すように比較的肉厚のＬ１３に設定されている。
【００３０】
［本実施形態に活用される第２カード］
図３は本実施形態で使用される幅狭肉薄の第２カードを示す図で、（ａ）図は平面図、（ｂ）図は側面図、（ｃ）図は正面図、図４は図３に示す第２カードの裏面図である。
【００３１】
これにの図３，４に示す幅狭肉薄の第２カード２も、上面を形成する表面２ａと、本実施形態に挿入された際に、奥側を形成する前端部２ｂと、本実施形態から突出する側を形成する後端部２ｃと、下面を形成する裏面２ｆとを備えている。この裏面２ｆの前端部２ｂ付近には、図４に示すように信号の送受信に活用される第２接触部材２ｇが備えられている。この第２カード２は、図３の（ａ）図に示すように、長さが例えば第１カード１の長さＬ１１よりも短いＬ２１に、幅が第１カード１の幅Ｌ１２よりも狭いＬ２２に、厚さが図３の（ｃ）図に示すように、第１カード１の肉厚Ｌ１３よりも薄いＬ２３に設定されている。
【００３２】
したがって、これらの第１カード１と第２カード２は、第１カード１の断面積内に第２カード２の断面積が包含される関係になっている。
【００３３】
本実施形態は、例えばこのような形状の異なる複数のカードである第１カード１、第２カード２のいずれかが、選択的に挿入可能になっている。
【００３４】
［本実施形態の基本構成］
図５は本実施形態に第２カードが挿入された状態を示す図で、（ａ）図は平面図、（ｂ）図は側面図、（ｃ）図は正面図である。主にこの図５によって本実施形態の基本構成を説明する。
【００３５】
図５の（ｃ）図に示すように、本体を形成するハウジング３の前面部分に、第１カード１及び第２カード２が挿入される挿入口３ａを備えている。この挿入口３ａは第１カード１の所定の第１装着位置への案内を可能に形成してある。
【００３６】
挿入口３ａには、この挿入口３ａの一部を閉塞可能に配置され、第２カード２を所定の第２装着位置へ案内する案内部材１６を備えている。この案内部材１６は、挿入口３ａから挿入された第２カード２の上下方向を規制しながら、第２装着位置までこの第２カード２を案内する。案内部材１６は、第１カード１を挿入口３ａに挿入した際に、第１カード１の前端部１ｂによって押されて装置の奥側に移動可能になっている。
【００３７】
同図５の（ｃ）図に示すように、案内部材１６をカード排出方向へ付勢する付勢部材１７を備えている。したがって上述した案内部材１６は、この付勢部材１１の付勢力に抗して移動可能になっている。この付勢部材１７は、例えば後述の第１スライド部材４に係着されている。
【００３８】
また、上述した挿入口３ａは、第１カード１が挿入される例えば下側挿入部を形成する第１挿入部３ａ１と、第２カード２が挿入される例えば上側挿入部を形成する第２挿入部３ａ２とを含んでいる。これらの第１挿入部３ａ１と、第２挿入部３ａ２とは、互いに相手の一部に含まれるように重ね合わせて形成してある。
【００３９】
本実施形態は、第１カード１を排出させる第１排出機構と、第２カード２を排出させる第２排出機構とを備えている。
【００４０】
第１排出機構は、図５の（ａ）図に示すように、第１カード１を挿入口３ａ方向へ押し出す第１スライド部材４と、この第１スライド部材４を挿入口３ａ方向へ付勢する第１付勢部材８とを含んでいる。さらに、第１スライド部材４を第１付勢部材８の付勢力に抗して、第１カード１が所定の装着位置、すなわち第１カード１の第１接触部材１ｇとハウジング３に設けた第１端子部材６とが接触する第１装着位置に保持された状態で、ロックする後述の第１ロック機構を含んでいる。
【００４１】
第２排出機構は、図５の（ａ）図に示すように、第２カード２を挿入口３ａ方向へ押し出す第２スライド部材５と、この第２スライド部材５を挿入口３ａ方向へ付勢する第２付勢部材１２とを含んでいる。さらに、第２スライド部材５を第２付勢部材２の付勢力に抗して、第２カード２が所定の装着位置、すなわち第２カード２の第２接触部材２ｇとハウジング３に設けた第２端子部材７とが接触する第２装着位置に保持された状態でロックする後述の第２ロック機構を含んでいる。これらの第２スライド部材５、第２付勢部材１２、及び第２ロック機構を含む第２排出機構は、上述した第１排出機構に含まれる第１スライド部材４に、例えば第１スライド部材４上に設けてある。上述した第２スライド部材を付勢する第２付勢部材１２は、第１スライド部材４に係着させてある。
【００４２】
また後述のように、第１排出機構の第１スライド部材４を待機位置である初期位置に保持する保持機構を備えている。この保持機構は、第１カード１の挿入に伴って第１スライド部材４の保持を解除し、第２カード２の挿入に際しては、第１スライド部材４の上述した初期位置における保持を継続する。図５の（ａ）（ｂ）図は、第１スライド部材４が初期位置に保持されている状態が示されている。また後述するように、保持機構による第１スライド部材４の保持を解除する保持解除手段も備えている。
【００４３】
第１カード１が装着される上述の第１装着装置と、第２カード２が装着される上述の第２装着装置とは、図５の（ｂ）図の第１端子部材６、第２端子部材７の配置からも分かるように、第１カード１、第２カード２の挿入方向に互いにずらして設定してあると共に、挿入される第１カード１、第２カード２の厚さ方向である上下方向にも互いにずらして設定してある。
【００４４】
後述するが、図８に示すように、上述した第１装着位置に装着された第１カード１の第１凹部１ｅに係合可能な第１突出部１８ａ１を有する第１弾性係合部１８ａと、上述した第２装着位置に装着された第２カード２の第２凹部２ｅに係合可能な第２突出部１８ｂ１を有する第２弾性係合部１８ｂとを含む保持部材１８も備えている。この保持部材１８は金属板を折り曲げ形成されたものである。なお、図８の（ａ）図は平面図、（ｂ）図は側面図、（ｃ）図は正面図である。
【００４５】
図７は本実施形態に挿入された第２カードが上述した第２装着位置に装着された状態を示す平面図、図１３は本実施形態に挿入された第１カードが所定の第１装着位置に装着された状態を示す平面図である。これらの図７，１３に示すように、第１カード１が第１装着位置に装着されたときの第１カード１の挿入口３ａからの突出寸法と、第２カード１が第２装着位置に装着されたときの第２カード２の挿入口３ａからの突出寸法が例えば同等のａとなるように、上述した第１装着位置と第２装着位置の位置を設定してある。
【００４６】
［第１排出機構の第１ロック機構］
図１４は、前述した第１カードを排出する第１排出機構の要部を示す図で、（ａ）図は後述の図１０の要部拡大図、（ｂ）図は後述の図１１の要部拡大図、（ｃ）図は後述の図１２の要部拡大図、（ｄ）図は後述の図１３の要部拡大図である。
【００４７】
図１４に示すように、本実施形態に備えられる第１排出機構の要部を構成する第１ロック機構は、第１カード１が収容されるハウジング３の底面に設けられる第１ハートカム溝９と、第１スライド部材４に一端が固定され、自由端が第１ハートカム溝９上を摺動する第１ロック部材１１と、第２スライド部材４に一端が固定され、自由端が第１ロック部材１１を第１ハートカム溝９方向に押圧する第１板ばね１０とを含んでいる。第１ハートカム溝９は、ロック部９ａを備えており、このロック部９ａに第１ロック部材１１が係止されることにより、第１スライド部材４が、図１４では図示されていない前述の第１付勢部材８の付勢力に抗して、第１カード１が第１装着位置に保持された状態でロックされるようになっている。
【００４８】
［第２排出機構の第２ロック機構］
図９は、前述した第２カードを排出する第２排出機構の要部を示す図で、（ａ）図は図５の要部拡大図、（ｂ）図は後述の図６の要部拡大図、（ｃ）図は後述の図７の要部拡大図である。
【００４９】
この図９に示すように、本実施形態に備えられる第２排出機構の要部を構成する第２ロック機構は、第１排出機構の第１スライド部材４に設けられる第２ハートカム溝１３と、第２スライド部材５に一端が固定され、自由端が第２ハートカム溝１３上を摺動する第２ロック部材１５と、第２スライド部材５に一端が固定され、自由端が第２ロック部材１５を第２ハートカム溝１３方向に押圧する第２板ばね１４とを含んでいる。第２ハートカム溝１３は、ロック部１３ａを備えており、このロック部１３ａに第２ロック部材１５が係止されることにより、第２スライド部材５が、第２付勢部材１２の付勢力に抗して、第２カード２が第２装着位置に保持された状態でロックされるようになっている。
【００５０】
［保持機構と保持解除手段］
図１５は本実施形態に備えられる保持機構を示す側断面図で、（ａ）図は第１スライド部材が保持機構によって保持された状態を示す図、（ｂ）図は第１スライド部材の保持が解除された状態を示す図である。
【００５１】
第１スライド部材５を初期位置に保持する前述した保持機構は、例えば図１５に示すように、第１ロック機構の第１ハートカム溝９に形成したロック穴９ｂと、第１ロック機構の第１ロック部材１１に備えられ、ロック穴９ｂに係止されるピン部１１ａとを含む構成になっている。第１ロック部材１１のピン部１１ａがロック穴９ａに係合することにより、第１スライド部材４は摺動不能に保持される。
【００５２】
また、上述の保持機構による第１スライド部材４の保持を解除する保持解除手段は、例えば同図１５の（ｂ）図に示すように、前述した第２カード２を案内する案内部材１６に形成され、挿入口３ａから挿入された第１カード１の摺動に伴う案内部材１６の移動により、第１ロック部材１１の下方に入り込み、ピン部１１ａをロック穴９ｂから離脱させるように第１ロック部材１１を上方に変位させるテーパ部１６ａから成る構成にしてある。
【００５３】
このテーパ部１６ａによって、ピン部１１ａとロック穴９ｂとの係合を解くことにより、第１スライド部材４の保持が解除され、第１スライド部材４が摺動可能となる。
【００５４】
［保持部材］
前述した図８に基づいて、第１弾性係合部１８ａと第２弾性係合部１８ｂとを含み、第１カード１、第２カード２を第１装着位置あるいは第２装着位置に保持する保持部材１８について説明する。
【００５５】
第１弾性係合部１８ａの第１突出部１８ａ１と、第２弾性係合部１８ｂの第２突出部１８ｂ１のそれぞれを、ハウジング３内に収容された第１カード１の第１凹部１ｅ、第２カード２の第２凹部２ｅそれぞれの位置に対応させて上下方向に異ならせて配置してある。
【００５６】
また、第１弾性係合部１８ａの第１突出部１８ａ１、第２弾性係合部１８ｂの第２突出部１８ｂ１それぞれが、第１カード１、第２カード２の挿入方向と直交する方向に延設され第１カード１の第１凹部１ｅ、第２カード２の第２凹部２ｅの該当するものに係合する係合面部を有する。図８の（ａ）図に、第２弾性係合部１８ｂの第２突出部１８ｂ１に形成される係合面部１８ｂ２が示されている。第１弾性係合部１８ａの第１突出部１８ａ１も係合面部１８ｂ２と同様の係合面部を備えている。
【００５７】
なお、保持部材１８は、装置の奥側に位置する前端部を第２スライド部材５に片持ち支持され、自由端側が２分割され、その分割部分の一方が上述した第１弾性係合部１８ａを形成し、他方が第２弾性係合部１８ｂを形成している。
【００５８】
以上のように構成した本実施形態の動作について、以下に説明する。
【００５９】
［第２カードの挿入動作］
図５は前述したように、本実施形態に第２カードが挿入された状態を示す図で、（ａ）図は平面図、（ｂ）図は側面図、（ｃ）図は正面図である。図６は本実施形態に挿入された第２カードが所定の第２装着位置に向って押し込まれる途中の状態を示す平面図である。図７は本実施形態に挿入された第２カードが所定の第２装着位置に装着された状態を示す平面図である。これらの図５〜７、及び上述の図８，９，１５を参照して、幅狭肉薄の第２カード２の挿入動作について説明する。
【００６０】
第１カード１、第２カード２とも挿入されていない状態にあっては、第１スライド部材４が保持機構によって初期位置に保持されている。すなわち、図１５の（ａ）図に示すように、第１スライド部材４に一端が固定された第１ロック部材１１のピン部１１ａがロック穴９ｂに係合し、第１スライド部材４は摺動不能にロックされている。
【００６１】
このような状態から、図５に示すように、挿入口３ａの第２挿入部３ａ２から第２カード２を挿入すると、この第２カード２は案内部材１６に上下方向を規制されながらこの案内部材１６上を摺動し、図８の（ａ）図にも示すように、この第２カード２の第２凹部２ｅに、保持部材１８の第２弾性係合部１８ｂの第２突出部１８ｂ１が係合する状態となる。このときの第２ロック機構を構成する第２ロック部材１５と第２ハートカム溝１３との係合関係は、図９の（ａ）図に示すようになっている。
【００６２】
第２カード２をさらに押し込むと、第２カード２の前端部２ｂによって第２スライド部材５が第２付勢部材１２の付勢力に抗して、装置の奥側に向かって摺動し、図６に示す状態となる。このとき第２スライド部材５の摺動に伴って、図９の（ｂ）図に示すように、第２ロック部材１５のピン部が第２ハートカム溝１３上を装置の奥側に向って摺動する。
【００６３】
第２カード２を引き続き押し込むと、第２付勢部材１２の付勢力に抗して行なわれる第２スライド部材５の摺動に伴う第２ロック部材１５の摺動により、図９の（ｃ）図に示すように、第２ロック部材１５のピン部が第２ハートカム溝１３のロック部１３ａに係合する。これにより、第２スライド部材５がロックされ、図７に示す状態となって第２カード２が所定の第２装着位置に至る。このとき、第２カード２の第２接触部材２ｇとハウジング３に設けた第２端子部材７とが接触した状態となる。したがって、第２カード２に対する信号の送受信が可能となる。
【００６４】
［第２カードの排出動作］
第２カード２の排出に際しては、図７に示す状態にある第２カード２の後端部２ｃを装置の奥側へ押す動作を行なう。これにより、第２カード２に押されて第２スライド部材５がオーバーストロークする。すなわち、第２カード２と第２スライド部材５とがわずかに装置の奥側に移動する。これにより、第２ロック部材１５のピン部と第２ハートカム溝１３のロック部１３ａとの係合が解かれる。すなわち、第２カード２が第２装着位置に装着されたときの第２スライド部材５のロックが解かれる。
【００６５】
ここで第２カード２に加えていた押し込み力を弱めると、第２付勢部材１２の付勢力によって第２スライド部材５はカード排出方向、すなわち挿入口３ａ方向に摺動する。この第２スライド部材５の摺動により、第２カード２は挿入口３ａから押し出され、前述の図５に示す状態に至る。第２スライド部材５の摺動に伴って、第２ロック部材５と第２ハートカム溝１３との関係は図９の（ａ）図に示す状態に復帰する。
【００６６】
この状態において、第２カード２の後端部２ｃ付近を把持して手前に引くことにより、第２カード２の第２凹部２ｅと第２弾性係合部１８ｂの第２突出部１８ｂ１との係合が解かれ、第２カード２を抜き取ることができる。
【００６７】
［第１カードの挿入動作］
図１０は本実施形態に第１カードが挿入された状態を示す平面図である。図１１は本実施形態に挿入された第１カードが所定の第１装着位置に向って押し込まれる途中の状態であって、本実施形態に備えられ、第１スライド部材を摺動不能に保持する保持機構の保持解除時の状態を示す図で、（ａ）図は平面図、（ｂ）図は側面図、（ｃ）図は正面図である。図１２は図１１に示す状態から第１カードが所定の第１装着位置に向ってさらに押し込まれた状態を示す平面図である。図１３は本実施形態に挿入された第１カードが所定の第１装着位置に装着された状態を示す平面図である。これらの図１０〜１３、及び上述の図８，１４，１５を参照して、幅広肉厚の第１カード１の挿入動作につい説明する。
【００６８】
図１１の（ｃ）図に示す挿入口３ａの第１挿入部３ａ１から第１カード１を挿入すると、図１０に示すように、第１カード１の前端部１ｂによって案内部材１６が第１スライド部材４に係着された図１１の（ｃ）図に示す付勢部材１７の付勢力に抗して装置の奥側に移動する。
【００６９】
さらに第１カード１を押し込むと、図１１に示すように、あるいは図８の（ｂ）（ｃ）にも示すように、この第１カード１の第１凹部１ｅに、保持部材１８の第１弾性係合部１８ａの第１突出部１８ａ１が係合する状態となる。このときの第１ロック機構を構成する第１ロック部材１１と第１ハートカム溝９との係合関係は、図１４の（ｂ）図に示すようになっている。また、このとき図１５の（ｂ）図に示すように、案内部材１６のテーパ部１６ａが第１ロック部材１１の下方に入り込み、第１ロック部材１１のピン１１ａとロック穴９ｂとの係合が解除され、第１スライド部材４は摺動可能な状態となる。すなわち、第１スライド部材４の保持が解除される。
【００７０】
第１カード１をさらに押し込むと、第１カード１の前端部１ｂによって付勢部材１７の付勢力に抗して案内部材１６が移動すると共に、その前端部１ｂによって第２スライド部材５が装置の奥側に向かって摺動し、案内部材１６、付勢部材１７を介して第１スライド部材４に伝えられる押し込み力により、第１スライド部材４が第１付勢部材８の付勢力に抗して装置の奥側に向って移動し、図１２に示す状態となる。この間、第１スライド部材４の摺動に伴って、図１４の（ｃ）図に示すように、第１ロック部材１１のピン部１１ａが第１ハートカム溝９上を装置の奥側に向って摺動する。
【００７１】
第１カード１を引き続き押し込むと、第１付勢部材８の付勢力に抗して行なわれる第１スライド部材４の摺動に伴う第１ロック部材１１の摺動により、図１４の（ｄ）図に示すように、第１ロック部材１１のピン部１１ａが第１ハートカム溝９のロック部９ａに係合する。これにより、第１スライド部材４がロックされ、同図１３に示す状態となって第１カード１が所定の第１装着位置に至る。このとき、第１カード１の第１接触部材１ｇとハウジング３に設けた第１端子部材６とが接触した状態となる。したがって、第１カード１に対する信号の送受信が可能となる。
【００７２】
［第１カードの排出操作］
第１カード１の排出に際しては、図１３に示す状態にある第１カード１の後端部１ｃを装置の奥側へ押す操作を行なうことにより、第１カード１に押されて第１スライド部材４がオーバーストロークする。すなわち、わずかに装置の奥側に移動する。これにより、第１ロック部材１１のピン部１１ａと第１ハートカム溝９のロック部９ａとの係合が解かれる。すなわち、第１スライド部材４のロックが解かれる。
【００７３】
ここで第１カード１に加えていた押し込み力を弱めると、第１付勢部材８の付勢力によって第１スライド部材４はカード排出方向、すなわち挿入口３ａ方向に摺動する。この第１スライド部材４の摺動により、第２付勢部材１２を介して第１スライド部材５が挿入口３ａ方向に摺動し、第１カード１は挿入口３ａから押し出され、前述の図１１に示す状態に至る。この間、第１スライド部材４の摺動に伴って、第１ロック部材１１と第１ハートカム溝９との関係は、図１４の（ｂ）図に示す状態となる。
【００７４】
この状態から第１カード１の後端部１ｃを手前に引くことにより、前述の図１０に示すように、第１カード１の第１凹部１ｅと第１弾性係合部１８ａとの係合が解かれ、第１カード１を抜き取ることができる。この間、付勢部材１７の付勢力によって案内部材１６が挿入口３ａ方向に押し戻される。また案内部材１６の移動に伴って図１５に示す第１ロック部材１１のピン部１１ａが、同図１５の（ａ）図に示すようにロック穴９ｂに係合する。これにより、第１スライド部材４は再び初期位置において摺動不能に保持される。
【００７５】
［本実施形態の効果］
以上のように構成した本実施形態によれば、第２カード２の挿入時には、挿入口３ａに配置した案内部材１６によって第２カード２の上下方向が規制されながら案内され、この第２カード２を所定の第２装着位置に確実に装着させることができる。また、第１カード１の挿入時には、第１カード１の挿入動作に伴って案内部材１６が装置の奥側に移動し、これにより、第１カード１を所定の第１装着位置に確実に装着させることができる。すなわち幅広肉厚の第１カード１と幅狭肉薄の第２カード２のそれぞれを確実に所定の装着位置に装着させることができ、従来に比べて優れた機能を確保できる。
【００７６】
また第２カード２の挿入に際しては、第２カード２が案内部材１６上を摺動する。第１カード１の挿入に際しては、挿入口３ａによって案内される第１カード１が、案内部材１６を押すようにして摺動する。すなわち、案内部材１６を第１カード１が乗り越えるような動作を生じることなく、第１カード１を円滑に摺動させることができる。これらにより、カード挿入時の優れた挿入フィーリングを得ることができる。
【００７７】
また、第２カード２の挿入時に誤って案内部材１６を装置の奥側に押し込む不測の事態を生じても、第２カード２に対する押し込み力を除くことにより、図５の（ｃ）図に示す付勢部材１７の付勢力で案内部材１６が挿入口３ａ方向へ押し戻され、これに伴って第２カード２が排出される。すなわち、第２カード２の誤挿入に際して、第２カード２を容易に取り出すことができ、信頼性の高い装置とすることができる。
【００７８】
また、挿入口３ａの第１カード１が挿入される第１挿入部３ａ１と、第２カード２が挿入される第２挿入部３ａ２とを、互いに相手の一部に含まれるように重ね合わせて配置したことから、挿入口３ａの上下方向の寸法を小さく設定できる。これにより装置の厚さ寸法を小さくすることができ、装置の小型化を実現できる。
【００７９】
また本実施形態によれば、第１カード１を排出する第１排出機構と、第２カードを排出する第２排出機構とを備えた構成にしてあることから、形状の異なる複数のカードの装着が可能であると共に、第１カード１、第２カード２が押し出されたときの第１カード１、第２カード２のハウジング３からの突出寸法が、手によって把持しやすい寸法となるように、第１排出機構、第２排出機構の形状寸法及び配置をあらかじめ設定しておくことにより、これらの第１カード１、第２カード２をハウジング３から容易に取り出すことができる。これにより、装置に対するカードの優れた着脱操作性が得られる。
【００８０】
また、第２スライド部材５を含む第２排出機構を、第１排出機構の第１スライド部材４に設けたことから、第１スライド部材４の配置領域内に第２排出機構を配置させることができ、これによっても装置の小型化を実現できる。
【００８１】
また、第１排出機構に含まれる第１ロック機構が製作が容易な第１ハートカム溝９と第１ロック部材１１を備え、第２排出機構に含まれる第２ロック機構が製作が容易な第２ハートカム溝１３と第２ロック部材１５を備えたものであり、これらの第１ロック機構及び第２ロック機構を簡単な構成とすることができ、製作費を安くすることに貢献する。
【００８２】
また、第２カード２の挿入時に、第２スライド部材５の下側に位置する第１スライド部材５が保持機構によって摺動不能になり、第２カード２の挿入に際して支障無く第２スライド部材５だけを摺動させることができ、この第２カード２の挿入操作を円滑に行なわせることができる。
【００８３】
また、第１カード１の挿入時に、保持解除手段によって保持機構による第１スライド部材４の保持を解除させることにより、第１スライド部材４の摺動が可能になり、第１カード１の挿入に伴って第１スライド部材４を摺動させることができる。したがって、この第１カード１の挿入操作を円滑に行なわせることができる。
【００８４】
また、第１スライド部材４を初期位置に保持する保持機構が、ロッ穴９ｂと、第１ロック部材１１のピン部１１ａとを含む簡単な構成であり、製作費を安くすることができる。
【００８５】
また、保持機構による第１スライド部材４の保持を解除する保持解除手段が、案内部材１６に設けたテーパ１６ａであって簡単な構成であり、このことも製作費を安くすることに貢献する。
【００８６】
また、第１ロック機構の第１ハートカム溝９を、ハウジング３の底面に設け、ハウジング３の底部の厚みを第１ハートカム溝９の形成領域としたことから、装置全体の厚さ寸法を小さくすることができ、装置の小型化の実現に貢献する。
【００８７】
また本実施形態は、保持部材１８の第１弾性係合部１８ａの第１突出部１８ａ１が、第１カード１の第１凹部１ｅに係合することにより、また第２弾性係合部１８ｂの第２突出部１８ｂ１が第２カード２の第２凹部２ｅに係合することにより、これらの形状の異なる複数のカードである第１カード１、第２カード２に対する大きな保持力を確保できる。保持部材１８は第１弾性係合部１８ａと第２弾性係合部１８ｂとを有する１部品によって構成してある。すなわち、部品点数の増加を抑えながらも、所定の装着位置におけるカードに対する比較的大きな保持力を確保でき、振動等に際しての第１カード１、第２カード２のハウジング３からの離脱や、第１端子部材６、第２端子部材７に対する接触不良を防止できる。これによって装置に対する優れた信頼性を確保できる。また、保持部材１８が１部品からなるので、装置の製作費を安く抑えることができる。
【００８８】
また、第１カード１が幅広肉厚のカードから成り、第２カード２が幅狭肉薄のカードから成ると共に、第１弾性係合部１８ａの第１突出部１８ａ１と、第２弾性係合部１８ｂの第２突出部１８ｂ１のそれぞれを、第１カード１の第１凹部１ｅ、第２カード２の第２凹部２ｅの位置に対応させて上下に異ならせて設けた構成にしてある。すなわち、複数のカードが幅広肉厚の第１カード１と、幅狭肉薄の第２カード２であっても、これらのカードに対する大きな保持力を確保でき、信頼性の高い装置とすることができる。
【００８９】
また、図８の（ａ）図の係合面部１８ｂ２で例示するように、第１弾性係合１８ａの第１突出部１８ａ１、第２弾性係合部１８ｂの第２突出部１８ｂ１のそれぞれが、第１カード１の第１凹部１ｅ、第２カード２の第２凹部２ｅの該当するものに係合し、第１カード１、第２カード２の挿入方向と直交する方向に延設される係合面部を備えている。これらの係合面部により、第１カード１、第２カード２の装置からの抜け止めを実施でき、これによっても信頼性の高い装置とすることができる。
【００９０】
また、保持部材１８は、装置の奥側に位置する前端部を第２スライド部材５に片持ち支持され、自由端側が２分割され、その分割部分の一方が第１弾性係合部１８ａを形成し、他方が第２弾性係合部１８ｂを形成する構成にしてある。すなわち、この保持部材１８を簡単な構成とすることができ、製作費を安くすることに貢献する。
【００９１】
また、図１の（ａ）図、図３の（ａ）図に示すように、第１カード１、第２カード２を互いに異なる長さＬ１１，Ｌ２１に設定し、図７、図１３に示すように、第１カード１が第１装着位置に装着されたときの挿入口３ａからの第１カード１の突出寸法と、第２カード２が第２装着位置に装着されたときの挿入口３ａからの第２カード２の突出寸法とが同等のＡとなるように、第１カード１が装着される第１装着位置と、第２カード２が装着される第２装着位置とを設定してある。これにより使い勝手が良くなり、第１カード１、第２カード２の良好な抜き取りフィーリングを確保できる。
【図面の簡単な説明】
【００９２】
【図１】本発明のカード用コネクタ装置の一実施形態で使用される幅広肉厚の第１カードを示す図で、（ａ）図は平面図、（ｂ）図は側面図、（ｃ）図は正面図である。
【図２】図１に示す第１カードの裏面図である。
【図３】本実施形態で使用される幅狭肉薄の第２カード示す図で、（ａ）図は平面図、（ｂ）図は側面図、（ｃ）図は正面図である。
【図４】図３に示す第２カードの裏面図である。
【図５】本実施形態に第２カードが挿入された状態を示す図で、（ａ）図は平面図、（ｂ）図は側面図、（ｃ）図は正面図である。
【図６】本実施形態に挿入された第２カードが所定の第２装着位置に向って押し込まれる途中の状態を示す平面図である。
【図７】本実施形態に挿入された第２カードが所定の第２装着位置に装着された状態を示す平面図である。
【図８】本実施形態に備えられ、第１カード及び第２カードを保持する保持部材を示す図で、（ａ）図は平面図、（ｂ）図は側面図、（ｃ）図は正面図である。
【図９】本実施形態に備えられ、第２カードを排出する第２排出機構の要部を示す図で、（ａ）図は図５の要部拡大図、（ｂ）図は図６の要部拡大図、（ｃ）図は図７の要部拡大図である。
【図１０】本実施形態に第１カードが挿入された状態を示す平面図である。
【図１１】本実施形態に挿入された第１カードが所定の第１装着位置に向って押し込まれる途中の状態であって、本実施形態に備えられ、第１スライド部材を摺動不能に保持する保持機構の保持解除時の状態を示す図で、（ａ）図は平面図、（ｂ）図は側面図、（ｃ）図は正面図である。
【図１２】図１１に示す状態から第１カードが所定の第１装着位置に向ってさらに押し込まれた状態を示す平面図である。
【図１３】本実施形態に挿入された第１カードが所定の第１装着位置に装着された状態を示す平面図である。
【図１４】本実施形態に備えられ、第１カードを排出する第１排出機構の要部を示す図で、（ａ）図は図１０の要部拡大図、（ｂ）図は図１１の要部拡大図、（ｃ）図は図１２の要部拡大図、（ｄ）図は図１３の要部拡大図である。
【図１５】本実施形態に備えられる保持機構を示す側断面図で、（ａ）図は第１スライド部材が保持機構によって保持された状態を示す図、（ｂ）図は第１スライド部材の保持が解除された状態を示す図である。
【符号の説明】
【００９３】
１    第１カード
１ａ  表面
１ｂ  前端部
１ｃ  後端部
１ｄ  側縁部
１ｅ  第１凹部
１ｆ  裏面
１ｇ  第１接触部材
２    第２カード
２ａ  表面
２ｂ  前端部
２ｃ  後端部
２ｄ  側縁部
２ｅ  第２凹部
２ｆ  裏面
２ｇ  第２接触部材
３    ハウジング（本体）
３ａ  挿入口
３ａ１  第１挿入部
３ａ２  第２挿入部
４    第１スライド部材
５    第２スライド部材
６    第１端子部材
７    第２端子部材
８    第１付勢部材（第１排出機構）
９    第１ハートカム溝（第１ロック機構）〔第１排出機構〕
９ａ  ロック部
９ｂ  ロック穴（保持機構）
１０    第１板ばね（第１ロック機構）〔第１排出機構〕
１１    第１ロック部材（第１ロック機構）〔第１排出機構〕
１１ａ  ピン部（保持機構）
１２    第２付勢部材（第２排出機構）
１３    第２ハートカム溝（第２ロック機構）〔第２排出機構〕
１３ａ  ロック部
１４    第２板ばね（第２ロック機構）〔第２排出機構〕
１５    第２ロック部材（第２ロック機構）〔第２排出機構〕
１６    案内部材
１６ａ  テーパ部（保持解除手段）
１７    付勢部材
１８    保持部材
１８ａ  第１弾性係合部
１８ａ１  第１突出部
１８ｂ  第２弾性係合部
１８ｂ１  第２突出部
１８ｂ２  係合面部
【図１】
2005135627.tif 000003
【図２】
2005135627.tif 000004
【図３】
2005135627.tif 000005
【図４】
2005135627.tif 000006
【図５】
2005135627.tif 000007
【図６】
2005135627.tif 000008
【図７】
2005135627.tif 000009
【図８】
2005135627.tif 000010
【図９】
2005135627.tif 000011
【図１０】
2005135627.tif 000012
【図１１】
2005135627.tif 000013
【図１２】
2005135627.tif 000014
【図１３】
2005135627.tif 000015
【図１４】
2005135627.tif 000016
【図１５】
2005135627.tif 000017